(57)【要約】      （修正有）【課題】防災受信盤に電流監視装置の機能を一体化して設けた場合の電流値測定に伴う情報表示を、本来の防災監視の表示機能を損なうことなく、適切に行うトンネル防災システムを提供する。【解決手段】防災受信盤１０のパネル扉前面にはメインモニタ装置４４が設けられ、防災受信盤１０の内部にはサブモニタ装置４６が設けられる。防災受信盤１０の監視制御部５６は、火災信号を受信して火災警報を出力し、信号回線の障害を検出して障害警報を出力する。防災受信盤１０に一体化された電流監視部５８は、信号回線に流れる電流値を測定すると共に電流値異常を判定して測定履歴として記憶し、所定の履歴表示操作が検出された場合に、監視制御部５６から通知された火災が受信された火災回線又は障害が検出された障害回線の測定履歴を記憶された測定履歴から抽出してサブモニタ装置４６に画面表示させる。【選択図】図４
2018032114.tif 000002
【特許請求の範囲】
【請求項１】
防災受信盤からトンネル内に引き出された複数の信号回線毎に火災信号を出力する手動通報装置及び検知器を含む複数の端末機器を接続して監視するトンネル防災システムに於いて、
前記防災受信盤の筐体前面に配置されたメインモニタ装置と、
前記防災受信盤の筐体内に配置されたサブモニタ装置と、
前記防災受信盤に設けられ、前記信号回線により前記火災信号を受信して前記メインモニタ装置の火災警報表示を含む火災警報を出力すると共に前記信号回線の障害を検出して前記メインモニタ装置の障害警報表示を含む障害警報を出力する監視制御部と、
前記防災受信盤に設けられ、前記複数の信号回線に流れる電流値を測定すると共に測定した電流値が所定の閾値範囲を外れた場合に電流値異常を判定して測定履歴として記憶し、
所定の履歴表示操作が検出された場合に、前記監視制御部から通知された火災が受信された火災回線又は障害が検出された障害回線の測定履歴を前記記憶された測定履歴から抽出してサブモニタ装置の画面に表示させる電流監視部と、
が設けられたことを特徴とするトンネル防災システム。
【請求項２】
請求項１記載のトンネル防災システムに於いて、前記電流監視部は、所定の周期毎に、前記複数の信号回線に流れる電流値を順次測定して判定し、測定結果及び判定結果を前記測定履歴として記憶することを特徴とするトンネル防災システム。
【請求項３】
請求項１記載のトンネル防災システムに於いて、前記電流監視部は、記憶された前記測定履歴の中から、所定の絞込み条件に該当する測定履歴を抽出して前記サブモニタ画面に表示させることを特徴とするトンネル防災システム。
【請求項４】
請求項１記載のトンネル防災システムに於いて、前記電流監視部は、前記サブモニタ装置の画面による所定の自動測定操作を検出した場合に、前記複数の信号回線に流れる電流値を順次測定して判定し、測定結果及び判定結果を前記サブモニタ装置に画面表示させることを特徴とするトンネル防災システム。
【請求項５】
請求項１記載のトンネル防災システムに於いて、前記電流監視部は、前記サブモニタ装置による信号回線の選択を含む所定の手動測定操作を検出した場合に、前記選択された信号回線に流れる電流値を測定して判定して判定し、測定結果及び判定結果を前記サブモニタ装置に画面表示させることを特徴とするトンネル防災システム。
【請求項６】
請求項１記載のトンネル防災システムに於いて、前記電流監視部は、前記サブモニタ装置による所定の異常履歴表示操作を検出した場合に、前記測定履歴から電流値異常が判定された測定履歴を抽出して時系列的に表示させることを特徴とするトンネル防災システム。
【請求項７】
請求項１記載のトンネル防災システムに於いて、前記電流監視部は、前記サブモニタ装置の画面による前記防災監視制御部における火災回線又は障害回線を対象とした所定の異常履歴表示操作を検出した場合に、前記測定履歴から電流値異常が判定された前記火災回線又は前記障害回線の測定履歴を抽出して時系列的に表示させることを特徴とするトンネル防災システム。
【発明の詳細な説明】
【技術分野】
【０００１】
本発明は、トンネル内に設置した通報装置や検知器等の端末機器を防災受信盤に接続してトンネル内の異常を監視するトンネル防災システムに関する。
【背景技術】
【０００２】
従来、自動車専用道路等のトンネルには、トンネル内で発生する火災事故から人身及び車両を守るため、非常用施設が設置されている。
【０００３】
このような非常用施設としては、火災の監視と通報のため火災検知器、手動通報装置、非常電話が設けられ、また火災の消火や延焼防止のために消火栓装置が設けられ、更にトンネル躯体やダクト内を火災から防護するために水噴霧ヘッドから消火用水を散水させる水噴霧などが設置され、これらの非常用施設の端末機器を監視制御する防災受信盤を設けることで、トンネル防災システムを構築している。
【０００４】
防災受信盤と端末機器で構成するトンネル防災システムは、Ｒ型伝送方式とＰ型直送方式に大別される。Ｒ型伝送方式は、伝送回線にアドレスを設定した火災検知器等の端末機器を接続し、伝送制御により端末機器単位に検知と制御を行う個別管理を可能とする。Ｐ型直送方式は、端末機器の種別に応じて所定の区画単位に分け、区画単位に引き出した信号回線に同一区画に属する複数の端末機器を接続し、信号回線単位に検知と制御を行う。
【０００５】
ところで、Ｐ型直送方式のトンネル防災システムにあっては、手動通報装置、消火栓起動装置、ダクト温度検知器等の端末機器は、操作又は検知による信号出力部を無電圧ａ接点スイッチとして構成し、防災受信盤から引き出された信号回線に無電圧ａ接点スイッチ接続している。無電圧ａ接点スイッチは通常監視状態でオフしており、操作や検知動作によりオンして無電圧接点信号を出力する。
【０００６】
具体的には、防災受信盤側から信号回線の一方にプルアップ抵抗を介して電源電圧を印加しており、無電圧ａ接点スイッチがオフした定常監視状態では、信号回線に消費電流は殆ど流れず、防災受信盤から見た信号回線間の電源電圧は略電源電圧に保たれている。無電圧ａ接点スイッチがオンすると信号回線に電流が流れ、防災受信盤から見た信号回線間の電圧は略零ボルトに低下し、防災受信盤は信号回線の消費電流の増加又は信号回線間の電圧低下を検出して端末機器の操作又は検知を示す受信信号を制御部に出力する。
【０００７】
例えば手動通報装置からの火災通報信号であれば、防災受信盤は、火災表示、端末側の応答ランプの点灯制御、手動通報区画表示、消火ポンプ起動信号の出力といった制御動作を行うと共に、遠方監視制御設備、テレビ監視設備、可変式道路情報板設備、トンネル換気設備、照明設備等の外部設備に火災通報信号を送信して所定の対処制御を行わせるようにしている。
【先行技術文献】
【特許文献】
【０００８】
【特許文献１】特開２００２−２４６９６２号公報
【特許文献２】特開平１１−１２８３８１号公報
【発明の概要】
【発明が解決しようとする課題】
【０００９】
このような従来のＰ型直送方式のトンネル防災システムにあっては、端末機器を接続している信号回線（外線ケーブル）の経年劣化等により絶縁低下が進み、端末機器を接続している信号回線に通常監視状態で想定される以上の電流が流れ、防災受信盤は端末機器の操作又は検知動作による信号受信と判断して警報動作を行うと共に、遠方監視制御設備、テレビ監視設備、可変式道路情報板設備、トンネル換気設備、照明設備等の他設備を連動し、トンネルを通行止めにすることが度々生じている。
【００１０】
この問題を解決するため、防災受信盤とは別の筐体に電流監視装置を設け、無電圧ａ接点スイッチを設けた端末機器を接続した信号回線に流れる電流を、例えば１日１回というように定期的に測定して記録し、更に、測定した電流が所定の閾値を超えた場合に信号回線の電流値異常を判定して警報するようにしている。
【００１１】
ところで、防災受信盤で火災通報信号を受信して火災警報が出力された場合や、信号回線の障害が検出されて障害警報が出力された場合には、その後の調査作業の段階で、火災信号が受信された火災回線や障害が検出された障害回線について、電流監視装置で測定された測定履歴を表示させ、火災回線や障害回線がどのような状態にあったかを調べる場合がある。
【００１２】
しかしながら、火災回線や障害回線の電流値の測定履歴を調べるためには、モニタ装置に電流値の測定履歴を表示させ、ページ切替えやスクロールをしながら火災回線又は障害回線を探し出す作業が必要となり、測定履歴は一日一回の定周期測定で生成されていることから、測定履歴のデータ量は膨大となり、その中から火災回線又は障害回線の測定履歴を探し出す作業は大変であり、調査に手間と時間かかかる問題がある。
【００１３】
また、従来は防災受信盤に対し電流監視装置を別の筐体に設けているため、防災受信盤から火災情報や障害情報等を電流測定装置に送って測定履歴と共に記憶させる伝送機能と処理機能が必要となり、設備構成と処理が複雑になる問題もある。
【００１４】
本発明は、防災受信盤に電流監視装置の機能を一体化して設備構成及び処理を簡略化すると共に、火災信号を受信した信号回線や障害を検出した信号回線の電流値の測定履歴を簡単且つ容易に調べることを可能とするトンネル防災システムを提供することを目的とする。
【課題を解決するための手段】
【００１５】
（トンネル防災システム）
本発明は、防災受信盤からトンネル内に引き出された複数の信号回線毎に火災信号を出力する手動通報装置及び検知器を含む複数の端末機器を接続して監視するトンネル防災システムに於いて、
防災受信盤の筐体前面に配置されたメインモニタ装置と、
防災受信盤の筐体内に配置されたサブモニタ装置と、
防災受信盤に設けられ、信号回線により火災信号を受信してメインモニタ装置の火災警報表示を含む火災警報を出力すると共に信号回線の障害を検出してメインモニタ装置の障害警報表示を含む障害警報を出力する防災監視制御部と、
防災受信盤に設けられ、複数の信号回線に流れる電流値を測定すると共に測定した電流値が所定の閾値範囲を外れた場合に電流値異常を判定して測定履歴として記憶し、所定の履歴表示操作が検出された場合に、防災監視制御部から通知された火災が受信された火災回線又は障害が検出された障害回線の測定履歴を記憶された測定履歴から抽出してサブモニタ装置の画面に表示させる電流監視部と、
が設けられたことを特徴とする。
【００１６】
（電流値の測定履歴）
電流監視部は、測定履歴として、測定対象となる前記信号回線の識別情報、当該信号回線に接続された端末機器の種別情報、測定された電流値、閾値範囲の上限値と下限値、及び、閾値範囲の上限値と下限値に基づく異常の判定結果を生成して記憶させる。
【００１７】
（電流値の定周期測定）
電流監視部は、所定の周期毎に、複数の信号回線に流れる電流値を順次測定して判定し、測定結果及び判定結果を測定履歴として記憶する。
【００１８】
（測定記録の絞込み表示）
電流監視部は、記憶された測定履歴の中から、所定の絞込み条件に該当する測定履歴を抽出してサブモニタ画面に表示させる。
【００１９】
（電流値の自動測定）
電流監視部は、サブモニタ装置の画面による所定の自動測定操作を検出した場合に、複数の信号回線に流れる電流値を順次測定して判定し、定結果及び判定結果をサブモニタ装置に画面表示させる。
【００２０】
（電流値の手動測定）
電流監視部は、サブモニタ装置による信号回線の選択を含む所定の手動測定操作を検出した場合に、選択された信号回線に流れる電流値を測定して判定し、定結果及び判定結果をサブモニタ装置に画面表示させる。
【００２１】
（異常履歴の表示）
電流監視部は、サブモニタ装置による所定の異常履歴表示操作を検出した場合に、測定履歴から電流値異常が判定された測定履歴を抽出して時系列的に表示させる。
【００２２】
（火災受信回線又は障害発生回線に対応した異常履歴の表示）
電流監視部は、サブモニタ装置の画面による防災監視制御部における火災回線又は障害回線を指定対象とした所定の異常履歴表示操作を検出した場合に、測定履歴から電流値異常が判定された火災回線又は障害回線の測定履歴を抽出して時系列的に表示させる。
【００２３】
（異常履歴）
電流監視部は、電流値異常の履歴として、電流値異常が判定された信号回線の識別情報、当該信号回線に接続された端末機器の種別情報、電流値異常の発生日時、測定された電流値、閾値範囲の上限値と下限値、閾値範囲の上限値と下限値に基づく異常の判定結果、及び復旧確認日時を表示させる。
【発明の効果】
【００２４】
（基本的な効果）
本発明は、防災受信盤からトンネル内に引き出された複数の信号回線毎に火災信号を出力する手動通報装置及び検知器を含む複数の端末機器を接続して監視するトンネル防災システムに於いて、防災受信盤の筐体前面に配置されたメインモニタ装置と、防災受信盤の筐体内に配置されたサブモニタ装置と、防災受信盤に設けられ、信号回線により火災信号を受信してメインモニタ装置の火災警報表示を含む火災警報を出力すると共に信号回線の障害を検出してメインモニタ装置の障害警報表示を含む障害警報を出力する防災監視制御部と、防災受信盤に設けられ、複数の信号回線に流れる電流値を測定すると共に測定した電流値が所定の閾値範囲を外れた場合に電流値異常を判定して測定履歴として記憶し、所定の履歴表示操作を検出した場合に、防災監視制御部から通知された火災が受信された火災回線又は障害が検出された障害回線の測定履歴を前記記憶された測定履歴から抽出してサブモニタ装置の画面に表示させる電流監視部とが設けられたため、防災受信盤で火災警報が出力された場合や信号回線の障害警報が出力された場合には、サブモニタ装置により火災回線又は障害回線の履歴表示操作を行うと、防災監視制御部で検知されている火災回線又は障害回線の回線番号に基づき、そのとき記憶されている測定履歴の中から火災回線又は障害回線の測定履歴が抽出されて時系列的にサブモニタ装置に表示され、膨大な測定履歴の中から火災回線又は障害回線の測定履歴を見つけ出す作業が不要となり、火災回線又は障害回線がどのようになっていたかを、抽出された火災回線又は障害回線の電流値測定履歴を簡単且つ容易にサブモニタ装置で確認することができ、火災が受信された信号回線や障害が検出された信号回線がどのような状態にあったか判断を適切に行うことを可能とする。
【００２５】
（電流値の定周期測定よる効果）
また、電流監視部は、所定の周期毎に、複数の信号回線に流れる電流値を順次測定して判定し、測定結果及び判定結果を測定履歴として記憶するようにしたため、例えば１日１回といった定期的な電流値の測定履歴が得られ、必要に応じてサブモニタ装置に画面表示させることで、火災が受信された信号回線や障害が検出された信号回線の絶縁劣化の進み具合等の判断が可能となる。
【００２６】
（測定記録の絞込み表示による効果）
また、電流監視部は、記憶された測定履歴の中から、所定の絞込み条件に該当する測定履歴を抽出してサブモニタ画面に表示させるようにしたため、上り線と下り線となる系統、手動通報装置、消火栓、ダクトといった装置、更に区画番号を絞込み条件として選択することで、膨大な測定履歴の中から必要とする特定の測定履歴を抽出して表示することができ、測定記録に基づく特定の回線劣化状態等の判断を効率良く行うことを可能とする。
【００２７】
（電流値の自動測定による効果）
電流監視部は、サブモニタ装置の画面による所定の自動測定操作を検出した場合に、複数の信号回線に流れる電流値を順次測定して判定し、測定結果及び判定結果をサブモニタ装置に画面表示させるようにしたため、定周期測定以外のタイミングで必要に応じて全回線の電流値測定を行ってサブモニタ装置の画面に測定結果及び判定結果を表示させることで、火災が受信された信号回線や障害が検出された信号回線を含む全回線について絶縁劣化の進み具合等の判断が可能となる。
【００２８】
（電流値の手動測定による効果）
また、電流監視部は、サブモニタ装置による信号回線の選択を含む所定の手動測定操作を検出した場合に、選択された信号回線に流れる電流値を測定して判定し、定結果及び判定結果をサブモニタ装置に画面表示させるようにしたため、例えば火災が受信された信号回線や障害が検出された信号回線につき、その信号回線を指定した手動測定を行うことで、火災が受信された信号回線や障害が検出された信号回線の絶縁劣化の進み具合等をサブモニタ装置の画面表示を見て判断可能となる。
【００２９】
（電流値異常の履歴表示による効果）
また、電流監視部は、サブモニタ装置による所定の異常履歴表示操作を検出した場合に、測定履歴から電流値異常が判定された測定履歴を抽出して時系列的に表示させるようにしたため、サブモニタ装置の画面に表示された電流値異常の履歴表示を見ることで、例えば、火災が受信された信号回線や障害が検出された信号回線の絶縁劣化の進み具合が適切に判断可能となる。
【００３０】
（火災受信回線又は障害発生回線に対応した異常履歴の表示による効果）
また、電流監視部は、サブモニタ装置の画面による防災監視制御部における火災回線又は障害回線を対象とした所定の異常履歴表示操作を検出した場合に、測定履歴から電流値異常が判定された火災回線又は障害回線の測定履歴を抽出して時系列的に表示させるようにしたため、電流値異常の測定履歴が多数ある場合、測定履歴の中から電流値異常と判定された火災回線又は障害回線の測定履歴が抽出して表示され、火災が受信された信号回線や障害が検出された信号回線の電流値異常による絶縁劣化の進み具体がどのようなものであったかを簡単且つ容易に調べることを可能とする。
【図面の簡単な説明】
【００３１】
【図１】トンネル防災システムの概要を示した説明図
【図２】防災受信盤の外観を示した説明図
【図３】防災受信盤のパネル扉を開いてサブモニタ装置を見る状態を示した説明図
【図４】トンネル防災システムの機能構成の概略を示したブロック図
【図５】自動測定に使用されるサブモニタ装置の自動測定画面を示した説明図
【図６】手動測定に使用されるサブモニタ装置の手動測定画面を示した説明図
【図７】電流値の測定履歴を表示したサブモニタ装置の測定記録画面を示した説明図
【図８】図７の測定記録場面から抽出された測定記録絞込み画面を示した説明図
【図９】電流値の異常履歴を表示したサブモニタ装置の異常履歴画面を示した説明図
【図１０】火災回線の測定履歴を表示したサブモニタ装置の火災回線履歴画面を示した説明図
【図１１】障害回線の測定履歴を表示したサブモニタ装置の火災障害回線履歴画面を示した説明図
【図１２】防災受信盤の電流監視部による電流監視制御を示したフローチャート
【発明を実施するための形態】
【００３２】
［トンネル防災システムの概要］
図１はトンネル防災システムの概要を示した説明図である。図１に示すように、自動車専用道路のトンネルとして、上り線トンネル１ａと下り線トンネル１ｂが構築され、上り線トンネル１ａと下り線トンネル１ｂは避難連絡坑２でつながっている。
【００３３】
上り線トンネル１ａと下り線トンネル１ｂの内部には、トンネル長手方向の監視員通路の壁面に沿って例えば５０メートル間隔で消火栓装置１８が設置されている。
【００３４】
消火栓装置１８は消火栓扉内にノズル付きホースを収納しており、火災時には消火栓扉を開いてノズル付きホースを引き出し、消火栓弁開閉レバーを開操作すると消火用水が放水され、また、消火栓弁開閉検出スイッチ１４がオンして消火ポンプを起動させる。
【００３５】
また、消火栓装置１８には通報装置扉を設けており、通報装置扉には手動通報装置（発信機）１６が設けられている。このように消火栓装置１８には、消火栓弁開閉検出スイッチ１４、及び手動通報装置１６が端末機器として設けられており、それぞれ接点手段として機能する無電圧ａ接点スイッチのオンにより、消火栓検出信号又はポンプ起動火災通報信号を出力する。
【００３６】
なお、消火栓装置１８には消防隊が使用するポンプ起動スイッチが設けられているが、消火栓弁開閉検出スイッチ１４と同じポンプ起動信号を出力するシステム的には同一のスイッチであることから、以下、消火栓弁開閉検出スイッチ（ポンプ起動スイッチを含む）１４として説明する。また、手動通報装置１６は、消火栓装置１８以外に、非常電話ボックス内にも設置しているが、以下の説明では、消火栓装置１８に設けた手動通報装置を代表として説明する。
【００３７】
トンネル非常設備として、消火栓装置１８以外に、火災検知器、自動弁装置、ダクト内温度検知器等が設けられているが、図示を省略している。
【００３８】
火災検知器はトンネル長手方向の壁面に沿って例えば２５メートル又は５０メートル間隔で設置され、左右２５メートル又は５０メートルとなる両側に監視エリアを設定し、火災による炎を検出して火災発報する。
【００３９】
自動弁装置は水噴霧設備を構成しており、作動用電動弁の遠隔開制御により主弁を開駆動し、トンネル壁面の上部の長手方向に設置した複数の水噴霧ヘッドから消火用水を放水してトンネル躯体を火災から防護する。
【００４０】
ダクト内温度検知器は、トンネル長手方向の監視員通路の内部の配管やケーブルを敷設したダクトに配置されており、ケーブル火災等によるダクト内の温度上昇を検出し、接点手段として機能する無電圧ａ接点スイッチのオンにより温度検知信号を出力する。
【００４１】
上り線トンネル１ａ及び下り線トンネル１ｂの監視センター等には防災受信盤１０が設置されている。防災受信盤１０には、上り線トンネル１ａ及び下り線トンネル１ｂの防災監視機能に加え、端末機器を接続したＰ型の信号回線の電流を監視する電流監視機能が設けられている。
【００４２】
防災受信盤１０からは上り線トンネル１ａと下り線トンネル１ｂの内に、トンネル長手方向に分割した所定の区画毎にＰ型の信号回線１２−１〜１２−ｎが引き出され、区画単位に設けられた複数の消火栓弁開閉検出スイッチ１４及び手動通報装置１６が接続されている。
【００４３】
なお、ダクト内に設置されたダクト内温度検出器に対しても、同様にＰ型の信号回線が区画単位に引き出され、区画単位に設けられた複数のダクト内温度検知器が接続されているが、図示を省略している。また、信号回線１２−１〜１２−ｎは、区別する必要がない場合は、信号回線１２という場合がある。
【００４４】
Ｐ型の信号回線１２は信号線とコモン線で構成され、消火栓装置１８の消火栓弁開閉検出スイッチ１４、手動通報装置１６及びダクト内温度検知器の各々に設けた無電圧ａ接点スイッチを接続した場合は、それぞれの操作又は検知動作により無電圧ａ接点スイッチをオンして回線電流を流すことで、ポンプ起動信号、火災通報信号、温度検知信号を防災受信盤１０に送るようにしている。
【００４５】
またトンネルの非常用施設としては、消火栓装置１８、火災検知器及び自動弁装置以外に、消火ポンプ設備２０、ダクト用の冷却ポンプ設備２２、ＩＧ子局設備２４、換気設備２８、警報表示板設備３０、ラジオ再放送設備３２、テレビ監視設備３４及び照明設備３６等が設けられており、ＩＧ子局設備２４をデータ伝送回線で接続する点を除き、それ以外の設備はＰ型信号回線により防災受信盤１０に個別に接続されしている。ここで、ＩＧ子局設備２４は、防災受信盤１０と外部に設けた上位設備である遠方監視制御設備２６とをネットワーク２５を経由して結ぶ通信設備である。
【００４６】
換気設備２８は、トンネル内の天井側に設置しているジェットファンの運転による高い吹き出し風速によってトンネル内の空気にエネルギーを与えて、トンネル長手方向に喚起の流れを起こす設備である。
【００４７】
また、警報表示板設備３０は、トンネル内の利用者に対して、トンネル内の異常を、電光表示板に表示して知らせる設備である。ラジオ再放送設備３２は、トンネル内で運転者等が道路管理者からの情報を受信できるようにするための設備である。テレビ監視設備３４は、火災の規模や位置を確認したり、水噴霧設備の作動、避難誘導を行う場合のトンネル内の状況を把握するための設備である。照明設備３６はトンネル内の照明機器を駆動して管理する設備である。
【００４８】
［防災受信盤のモニタ装置］
図２は防災受信盤の外観を示した説明図であり、図２（Ａ）に正面を示し、図２（Ｂ）に側面を示す。図３は防災受信盤のパネル扉を開いてサブモニタ装置を見る状態を示した説明図である。
【００４９】
図２に示すように、防災受信盤１０は、前後に開放された箱形の筐体６０の前面に、ハンドル操作により開閉自在なパネル扉６２が設けられ、また、筐体６０の裏面にも、バンドル操作により開閉自在な裏扉６３が設けられている。
【００５０】
パネル扉６２の表側にはタッチパネル付きの液晶ディスプレイを用いたメインモニタ装置４４が設置され、その下に、操作表示部６４が配置されている。メインモニタ装置４４の画面には、トンネル防災監視に関する所定の情報が表示される。
【００５１】
筐体６０の内部には、タッチパネル付きの液晶ディスプレイを用いたサブモニタ装置４６が配置されている。サブモニタ装置４６の画面には、信号回線の電流監視による電流値の測定結果や判定結果が表示される。
【００５２】
図３に示すように、防災受信盤１０のパネル扉６２を開くと、筐体６０内に支持枠６８に配置されているサブモニタ装置４６が現れ、サブモニタ装置４６の画面に信号回線の電流値測定結果や判定結果を表示させることができる。
【００５３】
［防災受信機盤の構成］
図４はトンネル防災システムの機能構成の概略を示したブロック図である。図４に示すように、防災受信盤１０は制御部４０を備え、制御部４０は例えばプログラムの実行により実現される機能であり、ハードウェアとしてはＣＰＵ、メモリ、ＡＤ変換ポートを含む各種の入出力ポート等を備えたコンピュータ回路等を使用する。
【００５４】
制御部４０に対しては、トンネル内に設置した各種の端末機器をＰ型の信号回線１２により接続したＰ型伝送部４２が設けられ、また、制御部４０に対しメインモニタ装置４４、サブモニタ装置４６、スピーカ、ブザー、警報表示灯等を備えた警報部４８、各種表示灯を備えた表示部５０、各種スイッチを備えた操作部５２を設け、更に、ＩＧ子局設備２４、換気設備２８、警報表示板設備３０、ラジオ再放送設備３２、テレビ監視設備３４、照明設備３６、消火ポンプ設備２０及び冷却ポンプ設備２２をＰ型の信号回線により個別に接続したＰ型伝送部５４が設けられている。
【００５５】
制御部４０にはプログラムの実行により実現される機能として、監視制御部５６と電流監視部５８の機能が設けられている。
【００５６】
（監視制御部）
監視制御部５６はトンネル内に設置した消火栓装置１８に設けられた消火栓弁開閉検出スイッチ１４と手動通報装置１６、火災検知器、ダクト内温度検知器、及び自動弁装置等の端末機器からの検知信号や操作信号に基づき、所定の監視制御を行う。
【００５７】
また、監視制御部５６は、例えば消火栓装置１８に設けた手動通報装置１６の操作による火災通報信号（火災信号）を受信した場合、警報部４８により主音響鳴動を行うと共に表示部５０に火災代表表示を行い、更に、メインモニタ装置４４の画面に火災表示と手動通報区画表示を行い、また消火栓装置１８に応答信号を送信して応答ランプを点灯する。
【００５８】
また、監視制御部５６は、消火栓装置１８に設けられた消火栓弁開閉レバーの開操作により消火栓弁開閉検出スイッチ１４のオンで出力された消火栓起動信号を受信した場合、消火ポンプ設備２０にポンプ起動信号を送信して起動させる制御を行う。
【００５９】
更に、監視制御部５６は他設備に対する制御として、ＩＧ子局設備２４を介して遠方監視制御設備２６に火災通報信号を送信して警報させる制御、テレビ監視設備３４により火災通報区画を表示する制御、警報表示板設備３０により手動通報区画の火災通報を表示する制御、換気設備２８により手動通報区画を換気する制御、照明設備３６により手動通報区画を照明する制御等を行う。また、監視制御部５６は、電流監視部５８に火災回線の回線番号を通知する制御を行う。
【００６０】
また、監視制御部５６は、ダクト内温度が上昇してダクト内温度検知器からダクト内温度検知信号を受信した場合、冷却ポンプ設備２２にポンプ起動信号を出力し、ダクト内に設置したヘッドから散水してダクト内を冷却する制御を行う。
【００６１】
また、監視制御部５６は、信号回線１２の断線障害を監視しており、断線障害を検出すると、警報部４８により障害音響鳴動を行うと共に表示部５０に障害代表表示を行い、メインモニタ装置４４の画面に障害表示と障害地区表示を行い、更に、電流監視部５８に障害回線の回線番号を通知する制御を行う。
【００６２】
監視制御部５６による信号回線１２の断線障害の監視は、信号回線１２の終端に終端抵抗を接続して断線監視電流を流しており、断線監視電流が断たれた場合に断線障害を検出する。
【００６３】
（電流監視部）
電流監視部５８は、消火栓弁開閉検出スイッチ１４及び手動通報装置１６を含む無電圧ａ接点スイッチを備えた端末機器を接続した信号回線１２の電流値を測定し、測定した電流値が所定の上限値と下限値で決まる閾値範囲を外れた場合に電流値異常を判定し、測定結果を測定履歴として着脱自在なメモリカードを用いたメモリに記憶する制御を行う。電流監視部５８による信号回線１２の電流値の測定は、例えば、信号回線１２に挿入した電流検出抵抗の検出電圧をＡＤ変換して読み込み、ノイズの影響を除去するため、所定時間測定した電流値の平均値を求める。
【００６４】
ここで、電流監視部５８による電流値測定には、定周期測定、自動測定、手動測定がある。電流監視部５８の定周期測定は、所定周期毎、例えば１日１回の周期で全ての信号回線１２の電流値を順次測定し、測定した電流値が所定の閾値範囲を外れた場合に電流値異常を判定し、測定結果を測定履歴としてメモリに記憶させる制御を行う。
【００６５】
電流監視部５８による電流値の自動測定は、サブモニタ装置４６による自動測定操作を検出した場合に、全ての信号回線１２に流れる電流値を順次測定し、測定した電流値が所定の閾値範囲を外れた場合に電流値異常を判定し、測定結果をサブモニタ装置４６に画面表示させる制御を行う。
【００６６】
電流監視部５８による電流値の手動測定は、サブモニタ装置４６による信号回線の選択を含む手動測定操作を検出した場合に、選択された信号回線に流れる電流値を測定し、測定した電流値が所定の閾値範囲を外れた場合に電流値異常を判定し、測定結果をサブモニタ装置４６に画面表示させる制御を行う。
【００６７】
また、電流監視部５８は、サブモニタ装置４６による測定履歴表示操作を検出した場合、メモリに記憶されている電流値の測定履歴をサブモニタ装置４６に画面表示させる制御を行う。
【００６８】
また、電流監視部５８は、サブモニタ装置４６による火災回線又は障害回線を対象とした火災履歴表示操作又は障害履歴表示操作を検出した場合、メモリに記憶されている電流値の測定履歴の中から監視制御部５６により通知されている火災回線又は障害回線の回線番号に対応した測定履歴を抽出してサブモニタ装置４６に画面表示させる制御を行う。
【００６９】
また、電流監視部５８は、サブモニタ装置４６による異常履歴表示操作を検出した場合、メモリに記憶されている電流値の測定履歴から電流値異常が判定されている測定履歴を抽出してサブモニタ装置４６に時系列的に画面表示させる制御を行う。
【００７０】
更に、電流監視部５８は、サブモニタ装置４６による火災回線又は障害回線を対象とした異常履歴表示操作を検出した場合、メモリに記憶されている電流値の測定履歴の中から電流値異常が判定され、且つ、監視制御部５６により通知されている火災回線又は障害回線の回線番号に対応した測定履歴を抽出してサブモニタ装置４６に時系列的に画面表示させる制御を行う。
【００７１】
［電流値の定周期測定］
図５は自動測定に使用されるサブモニタ装置の自動測定画面を示した説明図である。
図５に示すサブモニタ画面７０は、画面下側に画面展開ボタンとして、自動測定ボタン７２、手動測定ボタン７４、測定記録ボタン７６、異常履歴ボタン７８、火災履歴ボタン８０及び障害履歴ボタン８２が配置されており、ハッチングで示すように自動測定ボタン７２を操作すると、自動測定画面８４に切り替わる。
【００７２】
サブモニタ画面７０の右上部には、定周期測定として入ボタン８８と切ボタン９０が配置されており、初期設定として入ボタン８８がオン状態に設定されており、これによる電流監視部５８は、所定周期毎、例えば１日１回の周期で全ての信号回線１２の電流値を順次測定し、測定した電流値が所定の閾値範囲を外れた場合に電流値異常を判定し、測定結果を測定履歴としてメモリに記憶させる定周期測定を行っている。
【００７３】
図５の自動測定画面８４に切り替えられたサブモニタ画面７０を使用して電流値の自動測定を行う場合には、まず、右上の定周期測定に配置された切ボタン９０を操作して定周期測定を解除させる。続いて、種別選択部８６の中の例えば「上り線手動通報」を試験対象に選択し、自動測定に配置されている開始ボタン９２を操作する。なお、画面上で操作されたボタンをハッチングで示している。
【００７４】
このサブモニタ画面７０を使用した電流値の自動測定操作は電流監視部５８で検出され、選択された上り線トンネルに配置された手動通報装置に対する全信号回線の電流値が順次測定され、測定詳細情報１０４に、測定値が表示される。また、信号回線の自動測定毎に、右下の測定値枠９６に測定値が表示され、また、測定時間枠９８に測定時間が表示される。また、自動測定中には、画面左上の測定中表示１００が変化し、自動測定が行われていることを知らせる。
【００７５】
自動測定画面８４の画面中央には自動測定詳細情報１０４として、回線番号、上限値、下限値及び測定値の各項目に分けて、信号回線毎に情報が一覧表示される。
【００７６】
ここで、回線番号００４にあっては、測定値が１．２５ｍＡであり、上限値１．００ｍＡを超えていることから電流値異常と判定され、ハッチングで示すように回線番号００４の表示が変化して電流値異常を知らせ、また、電流異常値発生表示１０２が変化して電流値異常の発生を知らせる。
【００７７】
電流値の自動測定は、停止スイッチ９４を操作することで終了させることができる。なお、自動測定の終了に伴い自動測定の測定結果を履歴情報としてメモリに記憶させるようにしても良い。
【００７８】
更に、電流値の自動測定が終了した場合には、定周期測定の入スイッチ８８を操作することで、電流値の定周期測定に復帰させることができる。
【００７９】
［電流値の手動測定］
図６は手動測定に使用されるサブモニタ装置の手動測定画面を示した説明図である。図６に示すように、サブモニタ画面７０の下側に配置された手動測定ボタン７４を操作すると、図示の手動測定画面１０６に切り替えられる。
【００８０】
手動測定画面１０６に切り替えられたサブモニタ画面７０を使用して電流値の手動測定を行う場合には、まず、右上の定周期測定に配置された切ボタン９０を操作して定周期測定を解除させる。続いて、種別選択部８６の中の例えば「上り線手動通報」を試験対象に選択し、更に、手動測定に配置されている選択ボタン１０８，１１０の操作により測定対象とする信号回線を選択する。
【００８１】
ここで、測定詳細情報１１６の回線番号中のハッチングで示す回線番号００４の表示が変化することで現在の選択回線を示しており、選択ボタン１０８，１１０を操作すると回線番号の変化が上又は下に移動し、任意の回線番号が選択できる。回線番号が選択できたら、手動測定に配置されている開始ボタン１１２を操作する。
【００８２】
このようなサブモニタ画面７０を使用した電流値の手動測定操作は電流監視部５８で検出され、上り線トンネルに配置された手動通報装置に対する回線番号００４の信号回線の電流値が測定され、手動測定詳細情報１１６に、測定値が表示される。また、手動測定が開始されると、測定中表示１００が変化し、手動測定が行われていることを知らせる。
【００８３】
ここで、手動測定を行った回線番号００４の測定値が１．２５ｍＡであり、上限値１．００ｍＡを超えていることから電流値異常と判定され、回線番号００４の表示がハッチングで示すように変化し、また、電流値異常発生表示１０２が変化し、電流値異常が判定されたことを表示している。
【００８４】
電流値の手動測定が終了したい場合には、手動測定の停止スイッチ１１４を操作し、続いて定周期測定の入スイッチ８８を操作することで、電流値の定周期測定に復帰させることができる。なお、手動測定の終了に伴い手動測定の測定結果を履歴情報としてメモリに記憶させるようにしても良い。
【００８５】
［測定履歴表示］
図７は電流値の測定履歴を表示したサブモニタ装置の測定記録画面を示した説明図である。図７に示すように、サブモニタ画面７０の下側に配置された測定記録ボタン７６を操作すると、図示の測定記録画面１１８に切り替えられ、測定履歴詳細情報１２０にメモリから読み出された測定履歴が表示される。
【００８６】
測定記録画面１１８の右側には、ページ表示１２２、ページ切替ボタン１２４，１２６、ファイル保存ボタン１２８、メモリ取出ボタン１３０及び回線選択ボタン１３１が配置される。ページ切替ボタン１２６，１２８を操作することで測定履歴詳細情報１２０のページ切替えを可能としている。ファイル保存ボタン１２８は測定結果のメモリ格納を指示する。メモリ取出ボタン１３０は防災受信盤１０から電流値測定情報を記憶したメモリを取り出す場合に操作する。
【００８７】
測定記録画面１１８の画面中央に表示された測定履歴詳細情報１２０としては、Ｎｏで示す回線番号、日時、項目、上限値／下限値、測定値及び判定の各項目に分けて、信号回線毎に情報が一覧表示される。ここで、回線番号００４にあっては、測定値が１．２５ｍＡであり、上限値１．００ｍＡを超えていることから「ＮＧ」の表示により電流値異常と判定されている。それ以外の回線番号の測定値は上限値と下限値の範囲に収まっていることから「ＯＫ」の表示により正常と判定されている。
【００８８】
［測定記録絞込み表示］
図８は図７の測定記録場面から抽出された測定記録絞込み画面を示した説明図である。
【００８９】
図７の測定記録画面１１８において、回線選択ボタン１３１を操作すると、図８の測定記録絞込み画面１５０の表示に切り替わる。測定記録絞込み画面１５６には、系統選択部１５２、装置選択部１５４、区画選択部１５６、確定ボタン１５８、解除ボタン１６０、ページ表示１２２、ページ切替ボタン１２４，１２６、及び閉鎖ボタン１６２が設けられている。
【００９０】
系統選択部１５２は上り線と下り線から選択する。装置選択部１５４は、手動通報、消火栓、ダクトから選択する。区画選択部１５６は区画番号を入力する。
【００９１】
測定記録絞込み画面１５０において、例えば「上り線の手動通報装置における区画０１」の測定記録に絞込みたい場合には、図示のように、系統選択部１５２に「上り線」、装置選択部１５４に「手動通報」、区画選択部１５６に「０１」を設定し、確定ボタン１５８を操作すると、対応する絞込み測定記録１６４が表示される。
【００９２】
この状態で解除ボタン１６０を操作すると、絞込み条件及び絞込み測定記録１６４がクリアされる。また、閉鎖ボタン１６２を操作すると、図７の測定記録画面１１８に戻る。
【００９３】
このような測定記録絞込み画面１５０の機能を利用することで、記憶されている膨大な測定記録の中から、系統、装置、区画の組み合わせた絞込み条件の設定により測定記録を絞り込んで表示させることができ、例えば、電流値異常を起こした適宜の装置の回線劣化状況等の判断を効率良く行うことを可能とする。
【００９４】
なお、測定記録の絞込み条件としては、系統、装置、区画に加え、期間を選択できるようにしても良い。
【００９５】
［異常履歴表示］
図９はサブモニタ装置による異常履歴表示を示した説明図である。図９に示すように、サブモニタ画面７０の下側に配置されている異常履歴ボタン７８を操作すると、図示の異常履歴画面１３２に切り替えられる。
【００９６】
電流監視部５８は、異常履歴画面１３２への切替操作を検出すると、メモリに記憶されている電流値測定履歴の中から電流値異常が判定されている信号回線の測定履歴を抽出し、異常履歴詳細情報１３６を表示させる。
【００９７】
異常履歴詳細情報１３６は、Ｎｏで示す回線番号、日時、項目、及び復旧確認日時を一覧形式で表示しており、項目には、例えば、回線番号００４を例にとると、「上り線  手動通報  上限値異常」として、トンネル名、端末機器の種別、絶縁劣化等により上限値を超えた異常であることを表示している。
【００９８】
［火災回線履歴表示］
図１０は火災回線の測定履歴を表示したサブモニタ装置の火災回線履歴画面を示した説明図である。図１０に示すように、サブモニタ画面７０の下側に配置された火災履歴ボタン８０を操作すると、図示の火災回線履歴画面１３８に切り替えられ、火災履歴詳細情報１４０に監視制御部５６から通知された火災回線の回線番号、例えば回線番号００５に対応した測定履歴がメモリから読み出されて表示される。
【００９９】
火災回線００５の測定履歴は、画面右側のページ切替ボタン１２４，１２６を操作することで火災履歴詳細情報１４０のページを切替えて見ることができ、火災回線００５の電流値の測定履歴から、信号回線がどのような状況にあったかを調べることが可能となる。
【０１００】
［障害回線履歴表示］
図１１は障害回線の測定履歴を表示したサブモニタ装置の障害回線履歴画面を示した説明図である。図１１に示すように、サブモニタ画面７０の下側に配置された障害履歴ボタン８２を操作すると、図示の障害回線履歴画面１４２に切り替えられ、障害履歴詳細情報１４４に監視制御部５６から通知された障害回線の回線番号、例えば回線番号００８に対応した測定履歴がメモリから読み出されて表示される。
【０１０１】
障害回線００８の測定履歴は、画面右側のページ切替ボタン１２４，１２６を操作することで障害履歴詳細情報１４４のページを切替えてみることができ、障害回線００５の電流値の測定履歴から、どのような状況にあったが判断可能となる。
【０１０２】
例えば、障害履歴詳細情報１４４の３〜４行目の測定履歴では、測定値が０．００ｍＡで下限値０．０１ｍＡを下回って判定が「ＮＧ」となっており、これにより回線番号００８に断線障害が発生したことが分かり、２日が経過した５行目で測定値は０．７５ｍＡと閾値範囲に戻って判定が「ＯＫ」となり、修理等により断線障害が復旧されたことが分かる。
【０１０３】
［火災異常履歴表示と障害異常履歴表示］
図９に示したサブモニタ画面７０において、例えば、異常履歴ボタン７８と火災履歴ボタン８０を同時に操作すると、「火災異常履歴画面」に切り替わり、異常履歴詳細情報１３６に、監視制御部５６から通知された火災回線で、且つ、電流値異常が判定されている信号回線の測定履歴をメモリから読み出して表示させることができる。
【０１０４】
また、サブモニタ画面７０において、例えば、異常履歴ボタン７８と障害履歴ボタン８２を同時に操作すると、「障害異常履歴画面」に切り替わり、異常履歴詳細情報１３６に、監視制御部５６から通知された障害回線で、且つ、電流値異常が判定されている信号回線の測定履歴をメモリから読み出して表示させることができる。
【０１０５】
これにより火災回線又は障害回線につき、電流値異常が判定されている測定履歴のみが表示され、電流値が正常と判定されている測定履歴は除外されていることから、火災回線又は障害回線がどのような状態にあったかの判断が更に容易にできる。
【０１０６】
［電流監視部の監視制御］
図１２は防災受信盤の電流監視部による電流監視制御を示したフローチャートであり、図４に示した電流監視部５８による制御動作となる。
【０１０７】
図１２に示すように、電流監視部５８は電流値の定周期測定を初期設定しており、ステップＳ１で定周期測定の設定を判別するとステップＳ２に進み、ステップＳ２で１日１回の定周期測定タイミングへの到達を判別するとステップＳ３に進み、全回線の電流値を順次測定してメモリに記憶させ、測定された電流値が所定の閾値範囲外か否か判定し、ステップＳ４に進んで測定結果を測定履歴としてメモリに記憶させる。
【０１０８】
また、電流監視部５８は、ステップＳ５でサブモニタ装置４６による自動測定操作を検出した場合は、ステップＳ６に進んで選択されたトンネルの端末機器に対する全信号回線の電流値を順次測定し、測定された電流値が所定の閾値範囲外か否か判定し、ステップＳ７で測定結果をサブモニタ装置４６の画面に表示させる。なお、ステップＳ７で自動測定による測定結果を履歴情報としてメモリに記憶させても良い。
【０１０９】
また、電流監視部５８は、ステップＳ８でサブモニタ装置４６により回線番号を選択した手動測定操作を検出した場合は、ステップＳ９に進んで手動操作により選択された信号回線の電流値を測定し、測定された電流値が所定の閾値範囲外か否か判定し、ステップＳ１０で測定結果をサブモニタ装置４６の画面に表示させる。なお、ステップＳ１０で手動測定による測定結果を履歴情報としてメモリに記憶させても良い。
【０１１０】
また、電流監視部５８は、ステップＳ１１でサブモニタ装置４６による測定履歴の表示操作を検出した場合は、ステップＳ１２に進み、図７に示したように、メモリから測定履歴を読み出してサブモニタ装置４６に画面表示させる。なお、ステップＳ１２の測定履歴の表示にあっては、図８に示した測定記録絞込み画面に切り替えることにより、系統、装置、区画により絞り込まれた測定記録の表示が可能である。
【０１１１】
また、電流監視部５８は、ステップ１３でサブモニタ装置４６による火災回線履歴の表示操作を検出した場合は、ステップＳ１４に進み、図４に示したように、メモリから監視制御部５６から通知された火災回線の回線番号に対応した測定履歴を読み出してサブモニタ装置４６に画面表示させる。
【０１１２】
また、電流監視部５８は、ステップ１５でサブモニタ装置４６による障害回線履歴の表示操作を検出した場合は、ステップＳ１６に進み、図１０に示したように、メモリから監視制御部５６から通知された障害回線の回線番号に対応した測定履歴を読み出してサブモニタ装置４６に画面表示させる。
【０１１３】
また、電流監視部５８は、ステップ１７でサブモニタ装置４６による異常履歴の表示操作を検出した場合は、ステップＳ１８に進み、図８に示したように、メモリから電流値異常が判定されている測定履歴を読み出してサブモニタ装置４６に画面表示させる。
【０１１４】
また、電流監視部５８は、ステップ１９でサブモニタ装置４６による火災回線異常履歴の表示操作を検出した場合は、ステップＳ２０に進み、メモリから電流値異常が判定され、且つ、監視制御部５６から通知された火災回線の回線番号に対応した測定履歴を読み出してサブモニタ装置４６に画面表示させる。
【０１１５】
また、電流監視部５８は、ステップ２１でサブモニタ装置４６による障害回線異常履歴の表示操作を検出した場合は、ステップＳ２２に進み、メモリから電流値異常が判定され、且つ、監視制御部５６から通知された障害回線の回線番号に対応した測定履歴を読み出してサブモニタ装置４６に画面表示させる。
【０１１６】
［本発明の変形例］
（メインモニタ装置）
上記の実施形態は、メインモニタ装置としてタッチパネル付きの液晶ディスプレイを使用しているが、液晶ディスプレイに限定されず、トンネル防災監視に必要な各種の表示灯や操作部を備えた操作表示部、例えばグラフィックパネル等としても良い。
【０１１７】
（その他）
また、本発明は、その目的と利点を損なわない適宜の変形を含み、更に上記の実施形態に示した数値による限定は受けない。
【符号の説明】
【０１１８】
１ａ：上り線トンネル
１ｂ：下り線トンネル
１０：防災受信盤
１２，１２−１〜１２−ｎ：信号回線
１４：消火栓弁開閉検出スイッチ
１６：手動通報装置
１８：消火栓装置
２０：消火ポンプ設備
２２：冷却ポンプ設備
２４：ＩＧ子局設備
２６：遠方監視制御設備
２８：換気設備
３０：警報表示板設備
３２：ラジオ再放送設備
３４：テレビ監視設備
３６：照明設備
４０：制御部
４２，５４：Ｐ型伝送部
４４：メインモニタ装置
４６：サブモニタ装置
４８：警報部
５２：操作部
５６：監視制御部
５８：電流監視部
６０：筐体
６２：パネル扉
７０：サブモニタ画面
８４：自動測定画面
１０６：手動測定画面
１１８：測定記録画面
１３２：異常履歴画面
１３８：火災回線履歴画面
１４２：障害回線履歴画面
１５０：測定記録絞込み画面
【図１】
2018032114.tif 000003
【図２】
2018032114.tif 000004
【図３】
2018032114.tif 000005
【図４】
2018032114.tif 000006
【図５】
2018032114.tif 000007
【図６】
2018032114.tif 000008
【図７】
2018032114.tif 000009
【図８】
2018032114.tif 000010
【図９】
2018032114.tif 000011
【図１０】
2018032114.tif 000012
【図１１】
2018032114.tif 000013
【図１２】
2018032114.tif 000014